(57)【要約】【課題】スタンドの開放機構を有する携帯情報端末において、スタンドの誤作動による開放を防止することが可能な携帯情報端末を提供することを目的とする。【解決手段】タブレット端末１は、パネル状の筐体と、筐体に対し回動可能に接続され、筐体に対して開閉可能な板状のスタンド部と、筐体が面内方向に上から下へ移動した後、筐体に生じる衝撃を検出する衝撃検出部８と、筐体の所定の傾きを検出する移動検出部９と、衝撃検出部８において衝撃が検出された後の所定時間内に、移動検出部９において所定の傾きが検出されたか否かを判断する判断部１０と、判断部１０において、所定時間内に移動検出部９において所定の傾きが検出されたと判断されたとき、閉じられているスタンド部を開放させる制御部７とを備える。【選択図】図２
2017162076.tif 000002
【特許請求の範囲】
【請求項１】
パネル状の筐体と、
前記筐体に対し回動可能に接続され、前記筐体に対して開閉可能なスタンド部と、
前記筐体が面内方向に上から下へ移動した後、前記筐体に生じる衝撃を検出する衝撃検出部と、
前記筐体の所定の傾きを検出する傾き検出部と、
前記衝撃検出部において前記衝撃が検出された後の所定時間内に、前記傾き検出部において前記所定の傾きが検出されたか否かを判断する判断部と、
前記判断部において、前記所定時間内に前記傾き検出部において前記所定の傾きが検出されたと判断されたとき、閉じられている前記スタンド部を開放させる制御部と、
を備える携帯情報端末。
【請求項２】
前記所定の傾きは、前記筐体が前記筐体の面内方向に対して垂直方向へ移動して生じる傾きである請求項１に記載の携帯情報端末。
【請求項３】
前記筐体に設けられ、前記筐体への誘電体の近接又は接触を検出する近接検出部を更に備え、
前記制御部は、前記近接検出部において前記近接又は前記接触が検出され、かつ、前記判断部において、前記所定時間内に前記傾き検出部において前記所定の傾きが検出されたと判断されたとき、閉じられている前記スタンド部を開放させる請求項１又は２に記載の携帯情報端末。
【請求項４】
パネル状の筐体と、
前記筐体に対し回動可能に接続され、前記筐体に対して開閉可能なスタンド部と、
前記筐体に設けられ、前記筐体への誘電体の近接又は接触を検出する近接検出部と、
前記筐体が面内方向に上から下へ移動した後、前記筐体に生じる衝撃を検出する衝撃検出部と、
前記近接検出部において前記近接又は前記接触が検出され、かつ、前記衝撃検出部において前記衝撃が検出されたとき、閉じられている前記スタンド部を開放させる制御部と、
を備える携帯情報端末。
【請求項５】
パネル状の筐体と、
前記筐体に対し回動可能に接続され、前記筐体に対して開閉可能なスタンド部と、
前記筐体と着脱可能なキーボード部と、
前記筐体の所定の傾きを検出する傾き検出部と、
前記筐体と前記キーボード部との接続を検出する接続検出部と、
前記キーボード部における移動を検出する移動検出部と、
前記接続検出部において前記筐体と前記キーボード部との接続が検出され、前記傾き検出部において前記所定の傾きが検出され、かつ、前記移動検出部で前記キーボード部の静止状態が検出されたとき、閉じられている前記スタンド部を開放させる制御部と、
を備える携帯情報端末。
【請求項６】
前記スタンド部が閉じられているとき、前記スタンド部を前記筐体に対して固定するロック部を更に備え、
前記制御部は、前記ロック部を駆動させて、閉じられている前記スタンド部を開放させる請求項１から５のいずれか１項に記載の携帯情報端末。
【請求項７】
前記スタンド部に対して前記筐体を任意の角度で固定し、前記筐体が起立した状態を維持させるヒンジ機構を更に備える請求項１から６のいずれか１項に記載の携帯情報端末。
【請求項８】
前記ヒンジ機構は、
前記筐体が起立した状態から、前記スタンド部と前記筐体とのなす角を小さくする方向に力が作用したとき、トルクがかかり、
前記筐体が起立した状態から、前記スタンド部と前記筐体とのなす角を大きくする方向に力が作用したとき、トルクがかからない請求項７に記載の携帯情報端末。
【発明の詳細な説明】
【技術分野】
【０００１】
本発明は、携帯情報端末に関するものである。
【背景技術】
【０００２】
タブレット端末（タブレットコンピュータ）やスマートフォン等の携帯情報端末は、ＣＰＵやメモリ等の回路基板が内蔵された筐体にタッチパネルが設けられて、ユーザーが画面上に触れることで端末への入力が可能である。タブレット端末の使用方法として、ユーザーが手で持ちながら、ディスプレイの表示内容を見たり、入力を行ったりすることもあるが、タブレット端末は、机やテーブルなどの載置面に立てられた状態で使用されることもある。
【０００３】
下記の特許文献１では、スタンドとしても使用可能な電子機器用ケースに関する発明であって、電子機器を立てた状態で膝などの上で用いても電子機器が後ろ側に倒れたり、落下したりすることがないようにする技術が開示されている。
【先行技術文献】
【特許文献】
【０００４】
【特許文献１】特開２０１３−２５４２０号公報
【発明の概要】
【発明が解決しようとする課題】
【０００５】
タブレット端末を立てるため、タブレット端末の筐体の裏面側に開閉可能な板状のスタンドが設けられる場合がある。スタンドは、例えばヒンジを中心にして回動可能な構成を有しており、スタンドを開くことで、タブレット端末を自立させることができる。反対に、スタンドを閉じることで、スタンドが筐体の裏面側に収容されて、突起がないパネル状の端末として取り扱うことができる。
【０００６】
タブレット端末に予め設けられるスタンドは、手動で開閉される構成を有する場合と、机やテーブルなどの載置面に置かれたことを検出して自動的に開かれる構成を有する場合とが考えられる。後者のように、スタンドが自動的に開放される構成を有する場合、載置面に置かれたと誤検知して、鞄の中に収容されているとき等、スタンドの開放が不要なときに、スタンドが自動的に開かれる可能性がある。
【０００７】
本発明は、このような事情に鑑みてなされたものであって、スタンドの開放機構を有する携帯情報端末において、スタンドの誤作動による開放を防止することが可能な携帯情報端末を提供することを目的とする。
【課題を解決するための手段】
【０００８】
本発明の第１態様に係る携帯情報端末は、パネル状の筐体と、前記筐体に対し回動可能に接続され、前記筐体に対して開閉可能なスタンド部と、前記筐体が面内方向に上から下へ移動した後、前記筐体に生じる衝撃を検出する衝撃検出部と、前記筐体の所定の傾きを検出する傾き検出部と、前記衝撃検出部において前記衝撃が検出された後の所定時間内に、前記傾き検出部において前記所定の傾きが検出されたか否かを判断する判断部と、前記判断部において、前記所定時間内に前記傾き検出部において前記所定の傾きが検出されたと判断されたとき、閉じられている前記スタンド部を開放させる制御部とを備える。
【０００９】
本発明の第２態様に係る携帯情報端末は、パネル状の筐体と、前記筐体に対し回動可能に接続され、前記筐体に対して開閉可能なスタンド部と、前記筐体に設けられ、前記筐体への誘電体の近接又は接触を検出する近接検出部と、前記筐体が面内方向に上から下へ移動した後、前記筐体に生じる衝撃を検出する衝撃検出部と、前記近接検出部において前記近接又は前記接触が検出され、かつ、前記衝撃検出部において前記衝撃が検出されたとき、閉じられている前記スタンド部を開放させる制御部とを備える。
【００１０】
本発明の第３態様に係る携帯情報端末は、パネル状の筐体と、前記筐体に対し回動可能に接続され、前記筐体に対して開閉可能なスタンド部と、前記筐体と着脱可能なキーボード部と、前記筐体の所定の傾きを検出する傾き検出部と、前記筐体と前記キーボード部との接続を検出する接続検出部と、前記キーボード部における移動を検出する移動検出部と、前記接続検出部において前記筐体と前記キーボード部との接続が検出され、前記傾き検出部において前記所定の傾きが検出され、かつ、前記移動検出部で前記キーボード部の静止状態が検出されたとき、閉じられている前記スタンド部を開放させる制御部とを備える。
【発明の効果】
【００１１】
本発明によれば、スタンドの開放機構を有する携帯情報端末において、スタンドの誤作動による開放を防止することができる。
【図面の簡単な説明】
【００１２】
【図１】本発明の第１実施形態に係るタブレット端末を示す斜視図である。
【図２】本発明の第１実施形態に係るタブレット端末を示すブロック図である。
【図３】本発明の第１実施形態に係るタブレット端末の動作を示すフローチャートである。
【図４】本発明の第２実施形態に係るタブレット端末を示す斜視図である。
【図５】本発明の第２実施形態に係るタブレット端末を示すブロック図である。
【図６】本発明の第２実施形態に係るタブレット端末の動作を示すフローチャートである。
【図７】本発明の第１及び第２実施形態に係るタブレット端末のワンウェイヒンジ機構及びスタンドの自動開放機構を示す正面図である。
【図８】本発明の第１及び第２実施形態に係るタブレット端末を示す部分拡大縦断面図である。
【図９】本発明の第１及び第２実施形態に係るタブレット端末を示す縦断面図である。
【図１０】本発明の第１及び第２実施形態に係るタブレット端末を示す縦断面図である。
【図１１】本発明の第１及び第２実施形態に係るタブレット端末のワンウェイヒンジ機構を示す正面図である。
【図１２】本発明の第１及び第２実施形態に係るタブレット端末のワンウェイヒンジ機構を示す正面図である。
【図１３】本発明の第１及び第２実施形態に係るタブレット端末のワンウェイヒンジ機構を示す正面図である。
【図１４】本発明の第１及び第２実施形態に係るタブレット端末を示す縦断面図である。
【図１５】本発明の第１及び第２実施形態に係るタブレット端末を示す縦断面図である。
【図１６】本発明の第１及び第２実施形態に係るタブレット端末のワンウェイヒンジ機構を示す正面図である。
【図１７】本発明の第１及び第２実施形態に係るタブレット端末のワンウェイヒンジ機構を示す正面図である。
【図１８】本発明の第１及び第２実施形態に係るタブレット端末のワンウェイヒンジ機構を示す正面図である。
【図１９】本発明の第１及び第２実施形態に係るタブレット端末のスタンドの自動開放機構を示す縦断面図である。
【図２０】本発明の第１及び第２実施形態に係るタブレット端末のスタンドの自動開放機構を示す正面図である。
【図２１】本発明の第１及び第２実施形態に係るタブレット端末のスタンドの自動開放機構を示す横断面図である。
【図２２】本発明の第１及び第２実施形態に係るタブレット端末のスタンドの自動開放機構を示す縦断面図である。
【図２３】本発明の第１及び第２実施形態に係るタブレット端末のスタンドの自動開放機構を示す正面図である。
【図２４】本発明の第１及び第２実施形態に係るタブレット端末のスタンドの自動開放機構を示す横断面図である。
【図２５】本発明の第１及び第２実施形態に係るタブレット端末のスタンドの自動開放機構を示す縦断面図である。
【図２６】本発明の第１及び第２実施形態に係るタブレット端末のワンウェイヒンジ機構及びスタンドの自動開放機構を示す正面図である。
【図２７】本発明の第１及び第２実施形態に係るタブレット端末のスタンドの自動開放機構を示す横断面図である。
【発明を実施するための形態】
【００１３】
［第１実施形態］
以下、本発明の第１実施形態に係るタブレット端末１について、図面を用いて説明する。
タブレット端末１は、携帯情報端末の一例であり、図１に示すように、パネル状の筐体２を備え、筐体２にディスプレイモジュールが設けられる。筐体２には、内部にＣＰＵ及びメモリ等を搭載した回路基板や、バッテリー等の電源部などが収容される。タブレット端末１は、上述したＣＰＵ等によって実現される制御部７を備える。
【００１４】
筐体２に設けられるディスプレイモジュールは、例えば、液晶ディスプレイを備えて、液晶ディスプレイによって画像を表示する。なお、画像を表示するディスプレイモジュールは、液晶ディスプレイを備える場合に限定されず、有機ＥＬディスプレイ等でもよい。ディスプレイモジュールは、タッチパネルを備え、表示面上で触れられた指等の外部からの接触を検出して、入力を行うことができる。
【００１５】
タブレット端末１の筐体２には、図１に示すように、裏面側に開閉可能な板状のスタンド３が設けられる。スタンド３は、例えばヒンジ４を中心にして回動可能な構成を有しており、スタンド３を開くことで、タブレット端末１を自立させることができる。反対に、スタンド３を閉じることで、スタンド３が筐体２の裏面側に収容されて、突起がないパネル状の端末として取り扱うことができる。
【００１６】
タブレット端末１は、近接センサー５と、加速度センサー６と、制御部７を更に備える。
【００１７】
近接センサー５は、例えば、筐体２の上端部近傍に内蔵される。近接センサー５は、物体（誘電体）が筐体２の上端部の近くに近接又は接触していることを検出する。近接センサー５は、検出結果を制御部７へ送信する。近接センサー５は、誘導形、静電容量形など一般的に用いられているものを適用できる。なお、近接センサー５は、筐体２の側端部近傍に内蔵されてもよい。この場合、物体（誘電体）が筐体２の側端部の近くに近接又は接触していることを検出できる。
【００１８】
近接センサー５による検出結果は、筐体２がユーザーによって把持されている等のユーザーによって接触されている状況と、筐体２が鞄の中に収容されている等のユーザーによって接触されていない状況とを区別するための条件として用いられる。
【００１９】
加速度センサー６は、筐体２内部に設置される。加速度センサー６は、筐体２に生じる加速度を検出する。図１に示すように、筐体２の表示面内の水平方向をＸ軸、表示面内の垂直方向をＹ軸、表示面に対して垂直方向をＺ軸としたとき、加速度センサー６は、少なくともＹ軸方向及びＺ軸方向の加速度を検出する。加速度センサー６は、検出された加速度に関する信号を制御部７へ送信する。
【００２０】
制御部７は、図２に示すように、衝撃検出部８と、移動検出部９と、判断部１０と、ロック制御部１１などを有する。
【００２１】
衝撃検出部８は、加速度センサー６で検出されたＹ軸方向の加速度に基づいて、筐体２が面内方向に上から下へ移動した後、筐体２に生じる衝撃を検出する。衝撃検出部８は、例えば、速度変化を算出して、筐体２に衝撃が生じたことや、検出された加速度に基づいて生じた衝撃力を検出できる。衝撃検出部８で得られる検出結果は、衝撃検出部８から判断部１０へ送られる。衝撃検出部８で得られる検出結果は、筐体２がテーブルや机などの載置面に載置された状況と、例えばユーザーが歩きながら手に持っている等の載置面に載置されていない状況とを区別するための条件として用いられる。
【００２２】
移動検出部９は、加速度センサー６で検出されたＺ軸方向の加速度に基づいて、筐体２の表示面の面内方向に対して垂直方向の移動を検出する。移動検出部９は、例えば、検出された加速度に基づいて、筐体２の移動量や移動方向を検出できる。移動検出部９で得られる検出結果は、移動検出部９から判断部１０へ送られる。移動検出部９で得られる検出結果は、テーブルなどの載置面に載置された後、ユーザーが見やすい角度に傾けられた状況と、単に載置面に置かれただけ等のユーザーによって使用されるまでは到っていない状況とを区別するための条件として用いられる。
【００２３】
判断部１０は、近接センサー５で得られた検出結果に基づいて、筐体２への物体（誘電体）の近接又は接触が生じたか否かを判断する。また、判断部１０は、衝撃検出部８で得られた検出結果に基づいて、筐体２が、筐体２の面内方向に上から下へ移動した後、筐体２にＹ軸方向の所定以上の衝撃が生じたか否かを判断する。さらに、判断部１０は、予め記録されている所定角度と、移動検出部９で検出された移動量や移動方向に基づいて、筐体２が所定角度以上に傾けられたか否かを判断する。判断部１０が検出する傾きは、Ｘ軸周りの筐体２の回転である。
【００２４】
判断部１０は、筐体２への物体（誘電体）の近接又は接触が生じており、筐体２にＹ軸方向の衝撃が生じた後の所定時間内に、筐体が所定角度以上に傾けられたと判断した場合、ロック制御部１１へロック解除に関する信号を送信する。それ以外の場合、例えば、筐体２への物体（誘電体）の近接又は接触が生じていない場合、筐体２にＹ軸方向の衝撃が生じていない場合、筐体２が傾けられていない場合、又は、所定時間を過ぎてから筐体２が傾けられた場合には、判断部１０は、ロック制御部１１へロック解除に関する信号を送信しない。
【００２５】
ロック制御部１１は、判断部１０から受信したロック解除に関する信号に基づいて、スタンド３を固定しているロック機構１３のロックを解除させる。これにより、筐体２への物体（誘電体）の近接又は接触が生じており、筐体２にＹ軸方向の衝撃が生じた後の所定時間内に、筐体が所定角度以上に傾けられた場合、閉じられているスタンド３が開放される。
【００２６】
ロック機構１３は、筐体２とスタンド３とを機械的に結合したり解除したりする構造を有する。ロック機構１３の構造は、一般的に使用されるものを適用できる。ロック機構１３は、ロック制御部１１から送信されたロック解除に関する信号に基づいて、機械的に結合された筐体２とスタンド３との結合を解除する。また、ロック機構１３は、モーターでもよい。モーターは、ロック制御部１１から送信されたロック解除に関する信号に基づいて、動作を開始して、スタンド３を開放する。スタンド３が閉じられた状態や開かれた状態でモーターが動作しない場合、スタンド３が筐体２に対して固定（ロック）される。
【００２７】
次に、図３を参照して、本実施形態に係るタブレット端末１の動作について説明する。
まず、近接センサー５において、物体（誘電体）が近接又は接触しているか否かが検出される（ステップＳ１）。物体（誘電体）による近接又は接触が検出されていない場合、筐体２が鞄の中に収容されている等のユーザーによって接触されていない状況である可能性があるため、継続して、近接センサー５において、物体（誘電体）が近接又は接触しているか否かが検出される。
【００２８】
物体（誘電体）による近接又は接触が検出された場合、衝撃検出部８において、加速度センサー６で検出されたＹ軸方向の加速度に基づいて、筐体２が面内方向に上から下へ移動した後、筐体２にＹ軸方向の所定以上の衝撃が生じたか否かが検出される（ステップＳ２）。筐体２にＹ軸方向の所定以上の衝撃が生じていない場合、例えばユーザーが歩きながら手に持っている等の載置面に載置されていない状況である可能性があるため、近接センサー５において、物体（誘電体）が近接又は接触しているか否かを検出するステップ（Ｓ１）へ戻る。
【００２９】
筐体２にＹ軸方向の所定以上の衝撃が生じたことが検出された場合、筐体２が所定角度以上に傾けられたか否かが判断される（ステップＳ３）。また、衝撃が生じた後の所定時間が経過しているか否かが判断され（ステップＳ４）、所定時間内に筐体２が所定角度以上に傾けられた場合、ロック解除に関する信号が判断部１０からロック制御部１１へ送信され、ロック制御部１１は、スタンド３を固定しているロック機構１３のロックを解除させる（ステップＳ５）。
【００３０】
一方、所定時間内に筐体２が所定角度以上に傾けられていない場合、単に載置面に置かれただけ等のユーザーによって使用されるまでは到っていない状況である可能性があるため、近接センサー５において、物体（誘電体）が近接又は接触しているか否かを検出するステップ（Ｓ１）へ戻る。
【００３１】
筐体２への物体（誘電体）の近接又は接触が生じており、筐体２にＹ軸方向の衝撃が生じた後の所定時間内に、筐体が所定角度以上に傾けられたと判断された場合には、筐体２がユーザーによって把持されている等のユーザーによって接触されている状況、筐体２が載置面に載置された状況、及び、ユーザーが見やすい角度に傾けられた状況になっていると考えられる。そこで、本実施形態では、筐体２への物体（誘電体）の近接又は接触が生じており、筐体２にＹ軸方向の衝撃が生じた後の所定時間内に、筐体が所定角度以上に傾けられたと判断された場合、スタンド３を固定しているロック機構１３のロックが解除される。その結果、閉じられているスタンド３が開放される。
【００３２】
なお、上述した実施形態では、衝撃検出部８が、加速度センサー６で検出されたＹ軸方向の加速度に基づいて筐体２に生じる衝撃を検出するとしたが、ＸＹＺ軸方向のうち２つ以上の方向の加速度に基づいて、筐体２に生じる衝撃を検出するとしてよい。
【００３３】
また、上述した実施形態では、移動検出部９が、加速度センサー６で検出されたＺ軸方向の加速度に基づいて、筐体２の表示面の面内方向に対して垂直方向の移動を検出するとしたが、本発明はこの例に限定されない。移動検出部９は、本発明に係る傾き検出部の一例であり、移動検出部９の代わりに、筐体２の所定の傾きを検出する傾き検出部が設けられてもよい。例えば、筐体２にジャイロセンサを更に設け、ジャイロセンサで検出される角速度に基づいて、傾き検出部が、筐体２の所定の傾き、例えば、筐体２の表示面の面内方向に対して垂直方向の移動を検出してもよい。また、加速度センサーを複数設け、それらの加速度センサーの検出値を総合して筐体２の傾きを検出してもよい。
【００３４】
さらに、上述した実施形態では、近接センサー５で検出された近接又は接触、衝撃検出部８で検出された衝撃、移動検出部９で検出された移動量や移動方向に基づく所定角度以上の傾きの三つの条件をすべて満たすときに、ロック機構１３のロックが解除されるとしたが、本発明はこの例に限定されない。これら三つの条件のうち少なくとも二つを満たすとき、ロック機構１３のロックが解除されるとしてもよい。
【００３５】
例えば、衝撃検出部８で検出された衝撃と、移動検出部９で検出された移動量や移動方向に基づく所定角度以上の傾きの二つの条件を用いて、衝撃が生じた後の所定時間内に、所定角度以上の筐体２の傾きが検出されたと判断されたとき、閉じられているスタンド３を開放してもよい。この場合、ユーザーによって把持されている等のユーザーによる筐体２への近接又は接触が生じているか否かが不明であるが、テーブルなどの載置面に載置され、ユーザーが使用しやすい角度まで筐体２が傾けられたことをトリガーとして、スタンド３が開かれる。
【００３６】
また、近接センサー５で検出された近接又は接触と、衝撃検出部８で検出された衝撃の二つの条件を用いて、近接センサー５において近接又は接触が検出され、かつ、衝撃検出部８において衝撃が検出されたとき、閉じられているスタンド３を開放してもよい。この場合、テーブルなどの載置面に載置された後、ユーザーが見やすい角度に傾けられた状況になっているかが不明であるが、筐体２が、ユーザーによって把持された状態で、テーブルなどの載置面に載置されたことをトリガーとして、スタンド３が開かれる。
【００３７】
［第２実施形態］
次に、本発明の第２実施形態に係る携帯情報端末１５について説明する。
携帯情報端末１５は、上述した第１実施形態のスタンド３（図１参照）が設けられた筐体２を有するタブレット端末１に加えて、図４に示すように、タブレット端末１とは別の筐体のキーボード１６を備える。タブレット端末１は、キーボード１６に対して、取り外したり、接続したりすることが可能である。すなわち、タブレット端末１は、単独でも使用可能であるし、キーボード１６と接続して、キーボード１６からの入力を行うこともできる。
【００３８】
タブレット端末１の制御部７は、図５に示すように、接続検出部１７を更に有する。
接続検出部１７は、タブレット端末１とキーボード１６との接続状況を検出する。接続検出部１７で得られる検出結果は、接続検出部１７から判断部１０へ送られる。接続検出部１７で得られる検出結果は、タブレット端末１がキーボード１６と接続されている状況と、接続されていない状況とを区別するための条件として用いられる。
【００３９】
キーボード１６には、加速度センサー１８が内蔵される。加速度センサー１８は、キーボード１６に生じる加速度を検出する。加速度センサー１８は、検出された加速度に関する信号をタブレット端末１の制御部７へ送信する。
【００４０】
制御部７の移動検出部９は、上述した第１実施形態と同様に、タブレット端末１の加速度センサー６で検出されたＺ軸方向の加速度に基づいて、筐体２の表示面の面内方向に対して垂直方向の移動を検出する。本実施形態では、移動検出部９は、さらに、キーボード１６の加速度センサー１８で検出された加速度に基づいて、キーボード１６の移動又は静止状態を検出する。これら二つの検出結果は、キーボード１６が載置面に置かれた状態でのキーボード１６に対する筐体２の開閉状況と、キーボード１６が載置面に置かれていない状態でのキーボード１６に対する筐体２の開閉状況とを区別するための条件として用いられる。
【００４１】
判断部１０は、接続検出部１７で得られた検出結果に基づいて、タブレット端末１がキーボード１６と接続されているか否かを判断する。また、判断部１０は、移動検出部９で得られた検出結果に基づいて、キーボード１６に対して筐体２が開かれたか否かを判断する。
【００４２】
そして、判断部１０は、タブレット端末１がキーボード１６と接続され、かつ、キーボード１６が静止状態で、キーボード１６に対して筐体２が開かれたと判断した場合、ロック制御部１１へロック解除に関する信号を送信する。それ以外の場合、例えば、タブレット端末１がキーボード１６と接続されていない場合、キーボード１６が載置面に置かれておらず移動している場合、又は、キーボード１６が載置面に置かれているが開かれていない場合には、判断部１０は、ロック制御部１１へロック解除に関する信号を送信しない。
【００４３】
ロック制御部１１は、判断部１０から受信したロック解除に関する信号に基づいて、スタンド３を固定しているロック機構１３のロックを解除させる。これにより、タブレット端末１がキーボード１６と接続され、かつ、キーボード１６が静止状態で、キーボード１６に対して筐体２が開かれた場合、閉じられているスタンド３が開放される。
【００４４】
次に、図６を参照して、本実施形態に係る携帯情報端末１５の動作について説明する。
まず、接続検出部１７において、タブレット端末１がキーボード１６と接続されているか否かが検出される（ステップＳ１１）。タブレット端末１がキーボード１６と接続されていない場合、例えばユーザーが歩きながら手に持っている等の載置面に載置されていない状況である可能性があるため、接続検出部１７において、タブレット端末１がキーボード１６と接続されているか否かを検出するステップ（Ｓ１１）へ戻る。
【００４５】
タブレット端末１がキーボード１６と接続されていることが検出された場合、キーボード１６が静止状態で維持されているか否かが判断される（ステップＳ１２）。キーボード１６が静止状態で維持されていない場合も、ユーザーが歩きながら手に持っている等の載置面に載置されていない状況である可能性があるため、接続検出部１７において、タブレット端末１がキーボード１６と接続されているか否かを検出するステップ（Ｓ１１）へ戻る。
【００４６】
キーボード１６が静止状態で維持されていることが検出された場合、キーボード１６に対して筐体２が開かれたか否かを検出する（ステップＳ１３）。キーボード１６に対して筐体２が開かれたことが検出された場合、ロック解除に関する信号が判断部１０からロック制御部１１へ送信され、ロック制御部１１は、スタンド３を固定しているロック機構１３のロックを解除させる（ステップＳ１４）。
【００４７】
一方、キーボード１６に対して筐体２が開かれていない場合は、単に載置面に置かれただけ等のユーザーによって使用されるまでは到っていない状況である可能性があるため、接続検出部１７において、タブレット端末１がキーボード１６と接続されているか否かを検出するステップ（Ｓ１１）へ戻る。
【００４８】
タブレット端末１がキーボード１６と接続され、かつ、キーボード１６が静止状態で、キーボード１６に対して筐体２が開かれたと判断した場合には、筐体２が載置面に載置された状況、及び、ユーザーが使用を開始しようとしている状況になっていると考えられる。そこで、本実施形態では、タブレット端末１がキーボード１６と接続され、かつ、キーボード１６が静止状態で、キーボード１６に対して筐体２が開かれたと判断した場合、スタンド３を固定しているロック機構１３のロックが解除される。その結果、閉じられているスタンド３が開放される。
【００４９】
［ワンウェイヒンジ機構］
次に、本発明の第１及び第２実施形態に係るタブレット端末１に適用可能なワンウェイヒンジ機構２０について説明する。
ワンウェイヒンジ機構２０は、スタンド３に対して筐体２を任意の角度で固定し、筐体２が起立した状態を維持させる。また、ワンウェイヒンジ機構２０は、筐体２が起立した状態から、スタンド３と筐体２とのなす角を小さくする方向に力が作用したとき、すなわち、筐体２を押したとき、トルクがかかり、筐体２が起立した状態から、スタンド３と筐体２とのなす角を大きくする方向に力が作用したとき、すなわち、筐体２を引いたとき、トルクがかからない。
【００５０】
ワンウェイヒンジ機構２０は、図７に示すように、ねじりばね２１と、第１ブラケット２２と、第２ブラケット２３と、第１嵌合部２４と、第２嵌合部２５と、圧縮ばね２６と、トルクヒンジ２７と、第３ブラケット２８とを有する。
【００５１】
第１ブラケット２２は、スタンド３に固定される固定部２９と、筐体２のＸ軸方向に設けられる軸部３０とを有する。固定部２９と軸部３０と第１嵌合部２４は、一体的に結合されており、第１嵌合部２４は、第１ブラケット２２に対して空転しない。第３ブラケット２８は、筐体２に固定される固定部３１と、筐体２のＸ軸方向に設けられる軸部３２とを有する。固定部３１と軸部３２とトルクヒンジ２７は、一体的に結合されており、トルクヒンジ２７は、第３ブラケット２８に対して空転しない。
【００５２】
第１ブラケット２２の軸部３０は、第２ブラケット２３によって、回転可能に支持される。第２ブラケット２３は、筐体２に固定されている。ねじりばね２１は、一端部がスタンド３側と接触し、他端部が筐体２側と接触している。圧縮ばね２６は、一端部が第２嵌合部２５と接触し、他端部がトルクヒンジ２７と接触している。
【００５３】
まず、筐体２とスタンド３が互いに離れる方向に動作する場合について説明する。筐体２とスタンド３が互いに離れる方向に動作する場合とは、（１）図９に示すように、筐体２とスタンド３の固定が解除されて、スタンドが開かれるときと、（２）図１０に示すように、スタンド３が載置面に置かれていて、筐体２を引くように起こすときがある。いずれの場合も同じ挙動をとる。
【００５４】
初めに、筐体２とスタンド３の固定が解除される（（１）の場合）、又は、スタンド３が載置面に置かれていて、筐体２が起こされる（（２）の場合）。このとき、図１１に示すように、ねじりばね２１のばね力によって（スタンド３の角度によってはスタンド３の自重を加えた力によって）、スタンド３に対して、スタンド３が開く方向に力が作用する。その際、第１ブラケット２２の軸部３０と第１嵌合部２４が一体的に回転する。
【００５５】
その結果、図１２に示すように、第１嵌合部２４の突起部が、第２嵌合部２５の突起部と接触し、第２嵌合部２５が押圧されて、圧縮ばね２６が収縮する。
【００５６】
さらに、第１ブラケット２２の軸部３０と第１嵌合部２４が回転すると、図１３に示すように、第１嵌合部２４の突起部が、第２嵌合部２５の突起部を越えて、圧縮ばね２６によって、第２嵌合部２５が元の位置に戻る。
【００５７】
この動作が繰り返し行われることによって、スタンド３は、トルクヒンジ２７の摩擦力を受けることなく、スタンド３が自動的に開かれる。
【００５８】
次に、筐体２とスタンド３が互いに近づく方向に動作する場合について説明する。筐体２とスタンド３が互いに近づく方向に動作する場合とは、（１）図１４に示すように、スタンド３が閉じられるときと、（２）図１５に示すように、スタンド３が載置面に置かれていて、筐体２を押すように倒すときがある。いずれの場合も同じ挙動をとる。
【００５９】
初めに、筐体２とスタンド３が互いに近づけられる。このとき、図１６に示すように、第１ブラケット２２の軸部３０と第１嵌合部２４が一体的に回転する。
【００６０】
その結果、図１７に示すように、第１嵌合部２４が、第２嵌合部２５と接触し、第１嵌合部２４の突起部と、第２嵌合部２５の突起部とが互いに噛み合う。
【００６１】
次に、図１８に示すように、第１嵌合部２４の突起部と、第２嵌合部２５の突起部とが互いに噛み合ったまま、第１ブラケット２２の軸部３０と第１嵌合部２４が回転するとき、トルクヒンジ２７は、圧縮ばね２６から押圧力を受けて、トルクヒンジ２７に対して回転方向の力が作用する。トルクヒンジ２７の摩擦力が、トルクヒンジ２７に作用する回転方向の力よりも大きいときは、スタンド３は閉じずに、スタンド３と筐体２の角度が維持される。一方、トルクヒンジ２７に作用する回転方向の力が、トルクヒンジ２７の摩擦力よりも大きくなったときは、スタンド３と筐体２の角度が小さくなり、スタンド３が閉ざされる。
【００６２】
これにより、所定以上の力を筐体２とスタンド３にかけることで、スタンド３を閉じることができる。一方、所定の力よりも小さい力が筐体２とスタンド３にかかっているとき、例えば、スタンド３が載置面に置かれていて、筐体２の表示面に対して指を接触する程度の力が作用しているときは、筐体２が起立した状態を維持させて、筐体２が倒れないようにすることができる。
【００６３】
［スタンドの自動開放機構］
次に、本発明の第１及び第２実施形態に係るタブレット端末１に適用可能なスタンド３の自動開放機構４０について説明する。
自動開放機構４０は、テーブルなどの載置面に筐体２が置かれたとき、機械的な構造によって、自動的にスタンド３を開放する。例えば、上述したロック機構１３とは別に、自動開放機構４０を備えて、両方のロックが解除されることで、スタンド３が開放されるようにしてもよい。
【００６４】
自動開放機構４０は、図７及び図８に示すように、例えば、第１スライダ４１と、第１ばね部４２と、第２スライダ４３と、第２ばね部４４などを備える。
【００６５】
第１スライダ４１は、筐体２のＸ軸方向に設けられる棒状部材であり、一端部側にて第１ばね部４２から押圧力を受ける。第１スライダ４１は、Ｘ軸方向に移動可能である。第１スライダ４１の他端部側は、第２スライダ４３と接触する。
【００６６】
第２スライダ４３は、筐体２のＹ軸方向に設けられる棒状部材であり、上端部側にて第２ばね部４４から押圧力を受ける。第２スライダ４３は、Ｙ軸方向に移動可能である。第２スライダ４３の下端部は、図１９に示すように、筐体２の外周面から突出しており、図２２に示すように、テーブルなどの載置面に載置されて、上方向の力が第２スライダ４３に作用したとき、図２３に示すように、第２スライダ４３は上方向に移動する。第２スライダ４３の側面には、第１スライダ４１側に突出した突起部４６が形成されている。
【００６７】
第１スライダ４１の内側には、溝４５が、第１スライダ４１の長手方向に沿って形成される。溝４５には、図２０及び図２１に示すように、スタンド３に設置された係合部１２が挿入され、係合部１２は溝４５の一端部で第１スライダ４１と係合される。図２３及び図２４に示すように、第１スライダ４１が第２スライダ４３の突起部４６によって押圧されて、第１スライダ４１がＸ軸方向に移動することで、係合部１２と第１スライダ４１との係合が解除される。これにより、図２５から図２７に示すように、閉じられていたスタンド３が開放される。
【００６８】
図１９から図２１は、スタンド３が閉じられており、係合部１２が、溝４５の一端部で第１スライダ４１と係合している状態を示す。その後、図２２から図２４に示すように、筐体２の背面側が下になるようにして、筐体２が傾けられたとき、載置面から第２スライダ４３に上方向の力が作用し、第２スライダ４３が上方向へ移動する。このとき、第１スライダ４１が第２スライダ４３の突起部４６によって押圧されて、第１スライダ４１がＸ軸方向に移動する。なお、突起部４６は、上向きの斜面を有し、突起部４６と接触する第１スライダの端部は、下向きの斜面を有する。
【００６９】
第１スライダ４１がＸ軸方向に移動することで、図２４に示すように、溝４５が、係合部１２と係り合わない位置まで移動する。その結果、係合部１２と第１スライダ４１との係合が解除されて、図２５から図２７に示すように、閉じられていたスタンド３が開放される。
【００７０】
第２スライダ４３の上方向の移動量と、係合部１２と第１スライダ４１との係合が解除される第１スライダ４１の移動量との関係を調整することで、筐体２が所定角度以上に傾けられたとき、スタンド３が開放されるように設定することができる。
【符号の説明】
【００７１】
１      ：タブレット端末
２      ：筐体
３      ：スタンド
４      ：ヒンジ
５      ：近接センサー
６      ：加速度センサー
７      ：制御部
８      ：衝撃検出部
９      ：移動検出部
１０    ：判断部
１１    ：ロック制御部
１２    ：係合部
１３    ：ロック機構
１５    ：携帯情報端末
１６    ：キーボード
１７    ：接続検出部
１８    ：加速度センサー
２０    ：ワンウェイヒンジ機構
２１    ：ねじりばね
２２    ：第１ブラケット
２３    ：第２ブラケット
２４    ：第１嵌合部
２５    ：第２嵌合部
２６    ：圧縮ばね
２７    ：トルクヒンジ
２８    ：第３ブラケット
２９    ：固定部
３０    ：軸部
３１    ：固定部
３２    ：軸部
４０    ：自動開放機構
４１    ：第１スライダ
４２    ：第１ばね部
４３    ：第２スライダ
４４    ：第２ばね部
４５    ：溝
４６    ：突起部
【図１】
2017162076.tif 000003
【図２】
2017162076.tif 000004
【図３】
2017162076.tif 000005
【図４】
2017162076.tif 000006
【図５】
2017162076.tif 000007
【図６】
2017162076.tif 000008
【図７】
2017162076.tif 000009
【図８】
2017162076.tif 000010
【図９】
2017162076.tif 000011
【図１０】
2017162076.tif 000012
【図１１】
2017162076.tif 000013
【図１２】
2017162076.tif 000014
【図１３】
2017162076.tif 000015
【図１４】
2017162076.tif 000016
【図１５】
2017162076.tif 000017
【図１６】
2017162076.tif 000018
【図１７】
2017162076.tif 000019
【図１８】
2017162076.tif 000020
【図１９】
2017162076.tif 000021
【図２０】
2017162076.tif 000022
【図２１】
2017162076.tif 000023
【図２２】
2017162076.tif 000024
【図２３】
2017162076.tif 000025
【図２４】
2017162076.tif 000026
【図２５】
2017162076.tif 000027
【図２６】
2017162076.tif 000028
【図２７】
2017162076.tif 000029